(57)【要約】【課題】過電圧によるブラシレス励磁システム内の素子の損傷を防止するブラシレス励磁システム、ブラシレス励磁方法、ブラシレス励磁プログラムおよび同期発電機を提供する。【解決手段】発電機界磁回路１６に設置されるとともに発電機界磁諸量を検出する状態検出部３３と、検出された発電機界磁諸量に基づいて点弧信号を変調する点弧信号変調部４７と、点弧信号変調部４７がゲート端子に接続された素子を含む回転整流器２６と、を備える。【選択図】  図２
2018074886.tif 000002
【特許請求の範囲】
【請求項１】
発電機励磁回路に設置されるとともに発電機界磁諸量を検出する状態検出部と、
検出された前記発電機界磁諸量に基づいて点弧信号を変調する点弧信号変調部と、
前記点弧信号変調部がゲート端子に接続された素子を含む回転整流器と、を備えることを特徴とするブラシレス励磁システム。
【請求項２】
検出された前記発電機界磁諸量が既定の閾値を超えている場合に変調指令信号を前記点弧信号変調部に発信する変調指令部を備える請求項１に記載のブラシレス励磁システム。
【請求項３】
前記素子は、サイリスタ素子である請求項１または請求項２に記載のブラシレス励磁システム。
【請求項４】
前記回転整流器は、前記サイリスタ素子およびダイオード素子を含む回路である請求項３に記載のブラシレス励磁システム。
【請求項５】
請求項１から請求項４のいずれか１項に記載のブラシレス励磁システムを備える同期発電機。
【請求項６】
発電機励磁回路に設置された状態検出部に発電機界磁諸量を検出させるステップと、
検出された前記発電機界磁諸量に基づいて点弧信号を変調するステップと、
変調された点弧信号に基づいて前記発電機励磁回路を流れる電流量を変化させるステップと、を含むことを特徴とするブラシレス励磁方法。
【請求項７】
コンピュータに、
発電機励磁回路に設置された状態検出部に発電機界磁諸量を検出させるステップ、
前記変調指令信号に基づいて点弧信号を変調するステップ、
変調された点弧信号に基づいて前記発電機励磁回路を流れる電流量を変化させるステップ、を実行させることを特徴とするブラシレス励磁プログラム。
【発明の詳細な説明】
【技術分野】
【０００１】
本発明の実施形態は、回転界磁形の同期発電機の発電機界磁を制御するブラシレス励磁技術に関する。
【背景技術】
【０００２】
回転界磁形の同期発電機においては、励磁システムから発電機界磁回路に直流電流が流されることで、発電機界磁が電磁石になる。
この発電機界磁の励磁方式は、電気を収集するブラシおよびこのブラシを発電機界磁の回転軸に電気的に接続するスリップリングなどの摺動接触体を要するサイリスタ励磁方式と、これらの摺動接触体が不要なブラシレス励磁方式と、に大別される。
ブラシレス励磁方式の同期発電機は、摺動接触体が不要なため、ブラシの交換や頻繁な保守が必要なく、欧州などでは積極的に採用されている。
【０００３】
ブラシレス励磁システムは、主に発電機界磁を励磁する交流励磁機と、この交流励磁機を励磁する永久磁石発電機（ＰＭＧ：Permanent Magnet Generator）と、で構成される。
ＰＭＧによって交流励磁機界磁の包囲空間に生成された静磁場中を、交流励磁機電機子が回転することで、交流励磁機電機子に交流電流が発生する。
この交流電流が、回転軸に設けられた回転整流器で直流電流に整流された後、発電機界磁回路を流通することで発電機界磁が励磁される。
【０００４】
ブラシレス励磁システムでは、ＰＭＧ電機子回路から交流励磁機界磁回路へ流れる電流量を増減することで、発電機界磁回路への出力電流量を制御し、発電機界磁の励磁を制御することができる。
通常は、発電機出力電圧を監視してＰＭＧの出力を自動で調整する自動電圧調整器（ＡＶＲ：Automatic Voltage Regulator）によって発電量は一定に維持される。
電力系統の事故発生時、例えば落雷などによって発電機出力電圧が急落した場合、ＡＶＲはＰＭＧの出力を制御し、発電機定格界磁電圧以上の界磁電圧を印加する（以下、フォーシングと記す）ことで、発電機出力電圧を短時間で上昇させる。
【先行技術文献】
【特許文献】
【０００５】
【特許文献１】実開平４−１１８８００号公報
【特許文献２】特開平１１−２７９９５号公報
【発明の概要】
【発明が解決しようとする課題】
【０００６】
しかしながら、事故継続時間が長く、例えば発電機出力電圧の回復が長時間に及んだ場合、従来の制御方法では、発電機出力電圧を回復させるまでの制御の遅れによって、フォーシング時の発電機最大界磁電圧以上の電圧が発電機界磁回路に印加される。
その結果、従来のブラシレス励磁システムでは、励磁システム内の部品に過電圧が印加され、素子の機器としての電圧許容値を超えて、これらの素子を破損させるおそれがある。
【０００７】
本発明はこのような事情を考慮してなされたもので、過電圧によるブラシレス励磁システム内の素子の損傷を防止するブラシレス励磁システム、ブラシレス励磁方法、ブラシレス励磁プログラムおよび同期発電機を提供することを目的とする。
【課題を解決するための手段】
【０００８】
本実施形態にかかるブラシレス励磁システムは、発電機励磁回路に設置されるとともに発電機界磁諸量を検出する状態検出部と、検出された前記発電機界磁諸量に基づいて点弧信号を変調する点弧信号変調部と、前記点弧信号変調部がゲート端子に接続された素子を含む回転整流器と、を備えるものである。
【０００９】
本実施形態にかかるブラシレス励磁方法は、発電機励磁回路に設置された状態検出部に発電機界磁諸量を検出させるステップと、検出された前記発電機界磁諸量に基づいて点弧信号を変調するステップと、変調された点弧信号に基づいて前記発電機励磁回路を流れる電流量を変化させるステップと、を含むものである。
【００１０】
本実施形態にかかるブラシレス励磁プログラムは、コンピュータに、発電機励磁回路に設置された状態検出部に発電機界磁諸量を検出させるステップ、前記変調指令信号に基づいて点弧信号を変調するステップ、変調された点弧信号に基づいて前記発電機励磁回路を流れる電流量を変化させるステップ、を実行させるものである。
【発明の効果】
【００１１】
本発明により、過電圧によるブラシレス励磁システム内の素子の損傷を防止するブラシレス励磁システム、ブラシレス励磁方法、ブラシレス励磁プログラムおよび同期発電機が提供される。
【図面の簡単な説明】
【００１２】
【図１】ブラシレス励磁方式の同期発電機の基本構造を示す図。
【図２】第１実施形態にかかる励磁システムを含む同期発電機の概略回路図。
【図３】（Ａ）は状態検出部に電圧計を用いた一例を示す図、（Ｂ）は状態検出部に電流計を用いた一例を示す図、（Ｃ）は状態検出部に電圧計を用いた他の一例を示す図。
【図４】点弧信号変調部の一例を示す論理回路図。
【図５】点弧信号変調部の論理回路における出力信号のタイミングチャート。
【図６】第２実施形態にかかる励磁システムの概略回路図。
【図７】第１実施形態にかかるブラシレス励磁方法を示すフローチャート。
【発明を実施するための形態】
【００１３】
以下、本発明の実施形態を添付図面に基づいて説明する。
【００１４】
（第１実施形態）
まず、図１を用いてブラシレス励磁方式の同期発電機１０の基本構造について説明する。
図１は、第１実施形態にかかるブラシレス励磁システム３０（以下、単に「励磁システム３０」という）を含む同期発電機１０の概略構成図である。
【００１５】
回転界磁形の同期発電機１０では、図１に示されるように、回転軸１３に発電機界磁１１、交流励磁機電機子１４および永久磁石界磁１９（ＰＭＧ界磁１９）が設けられる。
【００１６】
発電機電機子２７に接続された同期発電機１０の電力出力系統２８には、自動電圧調整器２９（ＡＶＲ２９）が接続される。
ＡＶＲ２９は、発電機電機子２７の出力電圧（以下、「発電機出力電圧」という）に合わせて、永久磁石発電機１７（ＰＭＧ１７）から交流励磁機界磁１８への入力電圧値を調整する。
ＡＶＲ２９による調整によって、発電機出力電圧は設定された定格出力値に安定する。
【００１７】
ＡＶＲ２９は、具体的には、変圧器３２で監視可能に変圧された発電機出力電圧が設定された定格出力値よりも小さい場合、ＰＭＧ電機子２２と交流励磁界磁１８とを接続する経路上の整流器２４に発信しているＰＭＧ点弧信号を変調する。
このＰＭＧ点弧信号の変調によって、ＰＭＧ１７の発電機界磁回路１６を流れる直流電流を増加させる。
反対に、発電機出力電圧が小さい場合には、同様の方法で、直流電流を減少させる。
【００１８】
図２は、第１実施形態にかかる励磁システム３０を含む同期発電機１０の概略回路図である。
前述したように、発電機界磁電圧をフォーシングさせてから、発電機出力電圧が回復するまでには、ＡＶＲ２９、ＰＭＧ１７、交流励磁機１５、発電機の電磁誘導等、種々の制御遅れ要素があるため、情報の到達が相互に遅延して、即応性の高い正確な制御をすることができない。
このような情報の伝達の遅延によって、発電機界磁１１回路に過電圧が印加され、励磁システム３０の素子が破損するおそれがある。
よって、回転整流器２６が出力する直流電流を制御して即応性の高い制御をする工夫とともに、発電機界磁１１に過電圧が印加されて励磁システム３０内の素子が破損することを防止する措置が必要になる。
【００１９】
そこで、第１実施形態にかかる励磁システム３０は、図２に示されるように、発電機界磁回路１６に設置されるとともに発電機界磁諸量を検出する状態検出部３３と、検出された発電機界磁諸量に基づいて点弧信号Ｓを変調する点弧信号変調部４７と、を備える。
状態検出部３３および点弧信号変調部４７は、変調指令部３８を介して接続される。
【００２０】
また、回転整流器２６には、サイリスタ素子６３ａによる交流純ブリッジ回路が設けられる。
このサイリスタ素子６３ａのゲートに点弧信号変調部４７が接続されて、発電機界磁回路１６における電流量が調整される。
【００２１】
なお、ゲートからの点弧信号Ｓの入力がない限りサイリスタ素子６３ａには電流が流れない。
よって、点弧信号変調部４７は、通常運転時には、例えば最大電流を出力できるような位相に調整された定常点弧信号Ｓ3を常時入力する。
定常点弧信号Ｓ3によって、定常的にアノード（Ａ）とカソード（Ｃ）とが導通するので、サイリスタ素子６３ａは、ダイオードによる整流波形と同様の波形を出力する。
【００２２】
状態検出部３３は、発電機界磁回路１６に設けられて、発電機界磁諸量を検出する。
発電機界磁諸量とは、例えば、発電機界磁回路１６に流入する電流もしくは印加される電圧または保護の対象となる素子６３に印加される電圧などである。
【００２３】
また、図３（Ａ）は状態検出部３３に電圧計３４を用いた一例を示す図、図３（Ｂ）は状態検出部３３に電流計３５を用いた一例を示す図、図３（Ｃ）は状態検出部３３に電圧計３４を用いた他の一例を示す図である。
なお、図３（Ａ）〜図３（Ｃ）では、閾値保持部３７、変調指令部３８は図示を省略している。
【００２４】
状態検出部３３は、例えば、図３（Ａ）および図３（Ｂ）に示されるように、シャント抵抗器３６を備えた電圧計３４または電流計３５である。
以下、発電機界磁諸量は、図３（Ｂ）の一例を除き、発電機界磁電圧Ｖであるとして説明する。
例えば電圧計３４の場合、回路に直列に数十ｍΩ〜数百ｍΩの低抵抗のシャント抵抗器３６を挿入して、シャント抵抗器３６における電圧降下を検出する。
状態検出部３３は、シャント抵抗器３６に代えて、ホール素子または電流トランスを用いてもよい。
【００２５】
また、図３（Ｃ）に示されるように、シャント抵抗器３６を用いずに、電圧計３４を発電機界磁１１の両端に接続して、発電機界磁電圧Ｖを直接計測してもよい。
発電機界磁１１の両端で発電機界磁電圧Ｖを直接計測することで、高い精度で発電機界磁電圧Ｖを計測することができる。
この発電機界磁電圧Ｖに対しては、点弧信号Ｓを変調する基準となる複数の閾値が設定されて閾値保持部３７に保持されている。
【００２６】
状態検出部３３で検出された発電機界磁電圧Ｖの情報は、変調指令部３８に送信される。
変調指令部３８は、発電機界磁電圧Ｖが閾値保持部３７に保持された閾値を超過した場合に、超過した閾値に応じた変調指令信号σを点弧信号変調部４７に発信する。
例えば、機器としての設定許容値に近い閾値を超過した場合は、各位相の電圧値を負の値にして、負のフォーシングを誘導する変調指令信号σを発信する。
【００２７】
なお、変調指令部３８が発信する変調指令信号σは、超過した閾値の種類に基づいて変化するものに限定されない。
例えば、発電機界磁電圧Ｖの上昇または下落の大きさまたは速度などに基づいて変調指令信号σを変化させてもよい。
【００２８】
点弧信号変調部４７は、変調指令信号σに基づいて点弧信号Ｓを変調する。
ここで、図４は、点弧信号変調部４７の一例を示す論理回路図である。
点弧信号変調部４７は、例えば図４に示されるように、定常点弧信号Ｓ1を常時発信する定常パルス発信部５１（図では、定常点弧信号発信部５１）と、変調指令部３８から入力される変調指令信号σにのせられた臨時パルス発信部５２（図では、臨時点弧信号発信部５２）と、変調指令信号σの受信時に定常点弧信号Ｓ3を変調点弧信号Ｓ4に切り替える切換部５３と、を備える。
【００２９】
定常パルス発信部５１には定常スイッチ５４ａが、臨時パルス発信部５２には臨時スイッチ５４ｂが設けられている。
また、定常パルス発信部５１および臨時パルス発信部５２には、切換部５３が接続される。
そして、切換部５３は、定常スイッチ５４ａおよび臨時スイッチ５４ｂに接続される。
切換部５３は、例えば、定常パルス発信部５１に接続された定常ステップ信号発信部５７ａと、臨時パルス発信部５２に接続された臨時ステップ信号発信部５７ｂと、を備える。
【００３０】
そして、定常ステップ信号発信部５７ａおよび臨時ステップ信号発信部５７ｂは、ＮＡＮＤ回路５８に接続される。
このＮＡＮＤ回路５８の出力端子は分岐されて、一方は定常スイッチ側ＡＮＤ回路６１ａへ、他方はＮＯＴ回路６２を介して臨時スイッチ側ＡＮＤ回路６１ｂへ接続される。
そして、定常スイッチ側ＡＮＤ回路６１ａは定常スイッチ５４ａに、臨時スイッチ側ＡＮＤ回路６１ｂは臨時スイッチ５４ｂに接続される。
【００３１】
ここで、図５は、点弧信号変調部４７の論理回路における出力信号のタイミングチャートである。
【００３２】
各種信号は、定常点弧信号Ｓ1、定常ステップ信号Ｍ1、定常スイッチ側ＡＮＤ回路６１ａから出力されるステップ信号（すなわち、定常スイッチ５４ａのＯＮ／ＯＦＦ）、ゲートに出力される定常点弧信号Ｓ3、変調点弧信号Ｓ2、変調ステップ信号Ｍ2、臨時スイッチ側ＡＮＤ回路６１ｂから出力されるステップ信号（すなわち、臨時スイッチ５４ｂのＯＮ／ＯＦＦ）およびゲートに出力される変調点弧信号Ｓ4である。
【００３３】
定常パルス発信部５１から常時発信される定常点弧信号Ｓ1のパルスは、定常ステップ信号発信部５７ａに入力されて、常時ＯＮの定常ステップ信号Ｍ1を発信する。
臨時パルス発信部５２が変調指令部３８から受信する変調指令信号σに基づいて、変調点弧信号Ｓ2を臨時ステップ信号発信部５７ｂに発信することで、臨時ステップ信号発信部５７ｂが臨時ステップ信号Ｍ２を発信する。
【００３４】
定常ステップ信号Ｍ1のみが発信されている平常時には、定常スイッチ側ＡＮＤ回路６１ａからステップ信号が出力されて、定常スイッチ５４ａがＯＮになる。
定常スイッチ５４ａがＯＮであるときには、点弧信号変調部４７から定常点弧信号Ｓ3が出力される。
【００３５】
一方、変調ステップ信号Ｍ2が発信されると、臨時スイッチ側ＡＮＤ回路６１ｂからステップ信号が出力されて、臨時スイッチ５４ｂがＯＮになる。
臨時スイッチ５４ｂがＯＮのとき、点弧信号変調部４７から変調点弧信号Ｓ4が出力される。
このとき、臨時スイッチ側ＡＮＤ回路６１ｂからのステップ信号は停止し、定常スイッチ５４ａがＯＦＦになる。
【００３６】
つまり、このような切換部５３によって、変調点弧信号Ｓ4は、定常点弧信号Ｓ3と混在することなく発信される。
すなわち、点弧信号Ｓ（Ｓ3，Ｓ4）の混在による点弧失敗を防止することができる。
この図４および図５は点弧信号変調部４７の一例であり、デジタル方式のものでも、アナログ方式のものでもよい。
【００３７】
ところで、サイリスタ素子６３ａで構成される多相の交流純ブリッジ回転整流器では、他の素子との組み合わせによっては、電流値と電圧値との位相をずらすことで、素子６３にかかる電圧値を負にすることもできる。
電圧値を負にすることで、電流値は負の値をとらないものの、この電流値を迅速に低下させ、迅速に所望の電流値に安定させることができる。
【００３８】
以上のような構成によって、ＡＶＲ２９による制御とは別個に発電機界磁電圧Ｖを監視して、フィードバックさせることで、過電圧による機器の破損を防止することができる。
また、このような構成の全部を回転軸１３に設けることで、発電機界磁電圧Ｖに関する情報の授受のための回転体とＡＶＲ２９などの静止体との接触が不要になる。
【００３９】
次に、第１実施形態にかかるブラシレス励磁方法を図７のフローチャートを用いて説明する（適宜図１および図２を参照）。
【００４０】
まず、発電機界磁回路１６に設置された状態検出部３３で検出された発電機界磁電圧Ｖを変調指令部３８が監視する（Ｓ１１）。
検出は、常時行ってもよいし、発電機界磁回路１６内部の電圧の急激な変化などをトリガーにして開始してもよい。
変調指令部３８は、例えば、閾値保持部３７を参照して、発電機界磁電圧Ｖを各閾値と比較して監視をする。
【００４１】
点弧信号変調部４７が定常点弧信号Ｓ1を発信することで、サイリスタ素子６３ａはダイオードとして機能する（Ｓ１２）。
検出された発電機界磁諸量がいずれの閾値も超過していない場合は、監視を継続する（Ｓ１３：ＮＯ：Ｓ１１へ）。
【００４２】
一方、検出された発電機界磁諸量が上限の閾値を上回った場合、変調指令部３８が、下げ指令の変調指令信号σを発信する（Ｓ１３：ＹＥＳ：Ｓ１４）。
なお、閾値が、下限の閾値である場合は、この下限の閾値を下回った場合に、変調指令部３８が上げ指令の変調指令信号σを発信する。
そして、閾値に応じた変調指令信号σを受信した点弧信号変調部４７が、この変調指令信号σに基づいて点弧信号Ｓを変調する（Ｓ１５）。
変調された点弧信号Ｓがゲートから入力されて、サイリスタ素子６３ａが発電機界磁１１に流入する電流を変化させて、最適な発電機界磁電圧Ｖに調整する（Ｓ１６：ＥＮＤ）。
【００４３】
なお、このような動作は、プログラムに沿ってコンピュータで実行してもよい。
例えば、変調指令部３８、点弧信号変調部４７および状態検出部３３は、ＣＰＵ等のプロセッサ、ＲＯＭ（Read Only Memory）、ＲＡＭ(Random Access Memory)、或いはＨＤＤ（Hard Disk Drive）等の記憶装置、を具備するコンピュータとして構成することができる。
【００４４】
この場合、図２に示す各部のうち、状態検出部３３、変調指令部３８および点弧信号変調部４７の機能は、記憶装置に記憶された所定のプログラムをプロセッサが実行することによって実現することができる。
また、このようなソフトウェア処理に換えて、ＡＳＩＣ（Application Specific Integration Circuit）やＦＰＧＡ（Field-Programmable Gate Array）等のハードウェアで実現することができる。
【００４５】
さらに、状態検出部３３、変調指令部３８および点弧信号変調部４７などは、ソフトウェア処理とハードウェアによる処理を組み合わせて実現することもできる。
また、図２に示す構成のうち、閾値保持部３７は、ＲＯＭまたはＲＡＭ等の記憶装置によって実現される。
【００４６】
以上のように、第１実施形態にかかる励磁システム３０によれば、ＡＶＲ２９による制御とは別個に発電機界磁電圧Ｖを自動制御することで、過電圧による機器の破損を防止することができる。
【００４７】
また、回転整流器２６においてサイリスタ素子６３ａによる位相制御をすることで、発電機界磁回路１６の電流量を調整することができるので、即時に所望の発電機界磁電圧Ｖに安定させることができる。
【００４８】
また、励磁システム３０では、発電機界磁電圧Ｖの監視制御する状態検出部３３、閾値保持部３７、変調指令部３８および点弧信号変調部４７のいずれも回転体上に設けられている。
よって、回転体とＡＶＲ２９などの静止体とを接続して消耗品となるブラシが不要であって保守管理が容易であるというブラシレス励磁方式の特徴を維持することができる。
すなわち、ブラシレス励磁方式の特徴を維持して、過電圧によって励磁システム３０内の素子の損傷を防止することができる。
【００４９】
（第２実施形態）
図６は、第２実施形態にかかる励磁システム３０の概略回路図である。
【００５０】
第２実施形態にかかる励磁システム３０は、図６に示されるように、回転整流器２６が、サイリスタ素子６３ａおよびダイオード素子６３ｂの混合ブリッジ回路である。
第１実施形態では、全ての素子６３をサイリスタ素子６３ａを用いた３相の純ブリッジ回転整流器の一例を示した。
【００５１】
一方、第２実施形態では、例えば交流励磁機電機子１４の出力端子の下流側にサイリスタ素子６３ａ、上流側にダイオード素子６３ｂを配置する。
このように配置した場合も、サイリスタ素子６３ａの位相制御による負のフォーシングをかけることができる。
【００５２】
サイリスタ素子６３ａは、電流を流すためにはゲートからの入力が必要になるため、定常状態においても常時変調部４７からの定常点弧信号Ｓ1の入力が必要になる。
サイリスタ素子６３ａのゲートの数に対応した入力端子を変調部４７に設ける必要があり、点弧信号変調部４７の部品点数が増加して構成が複雑になる。
そこで、位相制御に不可欠でない部分には、ダイオード素子６３ｂを用いるのが好ましい。
【００５３】
このように第２実施形態によれば、点弧信号変調部４７および回転整流器２６の構成を簡素にすることができる。
【００５４】
なお、回転整流器２６にサイリスタ素子６３ａおよびダイオード素子６３ｂの両方を用いること以外は、第２実施形態は第１実施形態と同じ構造および動作手順となるので、重複する説明を省略する。
図面においても、共通の構成または機能を有する部分は同一符号で示し、重複する説明を省略する。
【００５５】
このように、第２実施形態にかかる励磁システム３０によれば、第１実施形態の効果に加え、点弧信号変調部４７および回転整流器２６の構成を簡素にすることができるので、故障のリスクを低減することができる。
【００５６】
以上述べた少なくとも一つの実施形態の励磁システム３０によれば、ＡＶＲ２９による制御とは別個に発電機界磁電圧Ｖを自動制御することで、過電圧による機器の破損を防止することができる。
また、回転整流器２６においてサイリスタ素子６３ａによる位相制御をすることで、負のフォーシングをかけることができるので、即時に所望の発電機界磁電圧Ｖに安定させることができる。
【００５７】
また、励磁システム３０では、回転体とＡＶＲなどの静止体とを接続して消耗品となるブラシが不要になることで、保守管理が容易になる。
すなわち、ブラシレス励磁方式の特徴を維持して、過電圧による励磁システム３０内の素子の損傷を防止することが可能となる。
【００５８】
本発明のいくつかの実施形態を説明したが、これらの実施形態は、例として提示したものであり、発明の範囲を限定することは意図していない。
これら実施形態は、その他の様々な形態で実施されることが可能であり、発明の要旨を逸脱しない範囲で、種々の省略、置き換え、変更、組み合わせを行うことができる。
これら実施形態やその変形は、発明の範囲や要旨に含まれると同様に、特許請求の範囲に記載された発明とその均等の範囲に含まれるものである。
【符号の説明】
【００５９】
１０…ブラシレス励磁方式の同期発電機、１１…発電機界磁、１３…回転軸、１４…交流励磁機電機子、１５…交流励磁機、１６…発電機界磁回路、１７…永久磁石発電機（ＰＭＧ）、１８…交流励磁機界磁、１９…永久磁石界磁（ＰＭＧ界磁）、２２…ＰＭＧ電機子、２４…整流器、２６…回転整流器、２７…発電機電機子、２８…電力出力系統、２９…自動電圧調整器、３０…ブラシレス励磁システム（励磁システム）、３２…変圧器、３３…状態検出部、３４…電圧計、３５…電流計、３６…シャント抵抗器、３７…閾値保持部、３８…変調指令部、４７…点弧信号変調部、５１…定常パルス発信部（定常点弧信号発信部）、５２…臨時パルス発信部（臨時点弧信号発信部）、５３…切換部、５４ａ…定常スイッチ、５４ｂ…臨時スイッチ、５７ａ…定常ステップ信号発信部、５７ｂ…臨時ステップ信号発信部、５８…ＮＡＮＤ回路、６１ａ…定常スイッチ側ＡＮＤ回路、６１ｂ…臨時スイッチ側ＡＮＤ回路、６２…ＮＯＴ回路、６３（６３ａ，６３ｂ）…素子（サイリスタ素子，ダイオード素子）、Ｍ1…定常ステップ信号、Ｍ2…変調ステップ信号、Ｓ…点弧信号、Ｓ1…定常点弧信号、Ｓ2…変調点弧信号、Ｓ3…定常点弧信号、Ｓ4…変調点弧信号、Ｖ…発電機界磁電圧、σ…変調指令信号。
【図１】
2018074886.tif 000003
【図２】
2018074886.tif 000004
【図３】
2018074886.tif 000005
【図４】
2018074886.tif 000006
【図５】
2018074886.tif 000007
【図６】
2018074886.tif 000008
【図７】
2018074886.tif 000009